(57)【要約】【技術課題】環境発電素子から発生する微弱な交流電圧を効率よく二次電池に蓄電すると共に出力を安定させるための蓄電装置を提供すること。【解決手段】環境発電素子で発生した電力を蓄電する蓄電装置において、前記環境発電素子から発生する交流電圧を整流回路により直流電圧に整流し、この整流した直流電圧の上限値を所定値以下に抑制する電圧リミッタを設けると共に、この電圧リミッタを介した直流電圧をコンデンサに蓄電する構成の整流蓄電回路部を設ける。更に、前記コンデンサの蓄電電圧を監視し、このコンデンサの蓄電電圧が上昇し、あらかじめ設定した電圧に達すると、別に設けた二次電池へ電力を供給し、あらかじめ設定した電圧まで下降すると電力の供給を停止するスイッチング機構を設けた構成の蓄電電圧監視部を設ける。【選択図】  図１
2016127656.tif 000002
【特許請求の範囲】
【請求項１】
環境発電素子で発生した電力を蓄電する蓄電装置であって、
前記環境発電素子から発生する交流電圧を整流回路により直流電圧に整流し、この整流した直流電圧の上限値を所定値以下に抑制する電圧リミッタを設けると共に、この電圧リミッタを介した直流電圧をコンデンサに蓄電する構成の整流蓄電回路部と、
前記コンデンサの蓄電電圧を監視し、このコンデンサの蓄電電圧が上昇し、あらかじめ設定した電圧に達すると、二次電池用充電回路のスイッチをオンに制御して別に設けた二次電池へ電力を供給し、あらかじめ設定した電圧まで下降すると前記スイッチをオフに制御して二次電池への電力の供給を停止するスイッチング機構を設けた構成の蓄電電圧監視部と、
から成ることを特徴とする蓄電装置。
【請求項２】
前記環境発電素子で発生した電力を蓄電する蓄電装置において、
前記環境発電素子から発生する交流電圧を整流回路により直流電圧に整流し、この整流した直流電圧の上限値を所定値以下に抑制する電圧リミッタと、この電圧リミッタを介した直流電圧を第１コンデンサに蓄電し、この第１コンデンサの蓄電電圧が上昇して低電圧ロックアウト解除電圧に達すると、ＤＣ−ＤＣ変換により前記第１コンデンサの電圧をあらかじめ設定した電圧まで降圧させる基準電圧設定部を介して第２コンデンサに蓄電する構成の環境発電用電源回路部と、
前記第２コンデンサの蓄電電圧を監視し、この第２コンデンサの蓄電電圧が上昇し、あらかじめ設定した電圧に達すると二次電池用充電回路とのスイッチをオンに制御して二次電池用充電回路へ電力を供給し、前記第２コンデンサの蓄電電圧が下降し、あらかじめ設定した電圧まで下降すると、前記二次電池用充電回路とのスイッチをオフに制御するスイッチング機構を設けた構成の蓄電電圧監視部と、から成る請求項１に記載の蓄電装置。
【請求項３】
ｎ個の環境発電素子をｎ個の整流回路に接続し、共通のコンデンサに接続して成ることを特徴とする請求項１に記載の蓄電装置。
【請求項４】
ｎ個の環境発電素子をｎ個の整流回路に接続し、共通の第１コンデンサに接続して成ることを特徴とする請求項２に記載の蓄電装置。
【発明の詳細な説明】
【技術分野】
【０００１】
本発明は、微弱な交流電圧を発生する環境発電素子から電気エネルギーをより効率的に二次電池に蓄電することが可能なエネルギーハーベスティングにおける蓄電装置に関するものである。
【背景技術】
【０００２】
例えば、特許文献１は圧電素子によって発生する電気エネルギーを蓄電する蓄電回路に関する技術であり、図５のように圧電素子から発生する電気エネルギーをコンデンサに蓄電する蓄電回路の構成である。
【０００３】
この蓄電回路は、外部からの振動、圧力などの力が加わると電気エネルギーを発生する圧電素子と、この圧電素子から発生する交流電圧を全波整流する整流回路と、この整流回路から出力される直流電圧を平滑化する平滑回路と、前記整流回路に接続される電圧リミッタと、前記平滑回路に接続されあらかじめ設定された値の電圧を出力する基準電圧設定部と、コンデンサとで構成されている。
【０００４】
そして、前記整流回路は、ブリッジ型の全波整流回路であり、圧電素子から発生する交流電圧を全波整流し、平滑回路から出力される直流電圧を平滑化する構成である。
【０００５】
また、前記電圧リミッタは、平滑回路に接続されており、圧電素子から発生する電圧が高い場合に電圧リミッタによりグランドへいたるバイパス電流を発生させ、基準電圧設定部に過度な電圧がかかることを抑制し保護する構成である。
【０００６】
また、前記基準電圧設定部は、例えばＤＣ−ＤＣコンバータであり、平滑回路により平滑化された直流電圧を所定の電圧に安定化して出力し、コンデンサに蓄電する構成である。
【０００７】
特許文献２では、電磁式振動発電装置から発生する電気エネルギーを二次電池に蓄電する蓄電回路に関する技術が公開されている。図６は電磁式振動発電装置から発生する電気エネルギーを二次電池に蓄電する構成である。
【０００８】
この蓄電回路は、振動エネルギーを電気エネルギーに変換する電磁式振動発電装置と、振動発電装置から発生する交流電圧を全波整流する整流回路と、整流回路から出力される直流電圧を平滑化する平滑回路と、平滑回路に接続される電圧リミッタと、二次電池とで構成される。
【０００９】
また、整流回路は、ブリッジ型の全波整流回路であり、電磁式振動発電装置から発生する交流電圧を全波整流し、平滑回路は整流回路から出力される直流電圧を平滑化する構成である。
【００１０】
この特許文献２において、電圧リミッタは、平滑回路に接続されており、電磁式振動発電装置から発生する電圧が高い場合には、電圧リミッタによりグランドへいたるバイパス電流を発生させ、二次電池に過度な電圧がかかることを抑制し、平滑回路で平滑化された電圧を二次電池に蓄電する。
【先行技術文献】
【特許文献】
【００１１】
【特許文献１】特開２０１２−８０５９６号公報
【特許文献２】特開２０１３−２０７９４２号公報
【発明の概要】
【発明が解決しようとする課題】
【００１２】
エネルギー・ハーベスティングにおける蓄電装置では、環境発電素子から発生する微弱な交流電圧を効率良く蓄電して電気エネルギーを有効に利用することが求められている。前記蓄電装置の蓄電デバイスにおいては、蓄電のエネルギー密度が０．１−１０Ｗｈ／Ｌで放電時に電圧降下の大きいコンデンサよりも、エネルギー密度が１００−５００Ｗｈ／Ｌと大きい二次電池の方が電気エネルギーを安定して出力することができる。
【００１３】
しかしながら、特許文献１に記載の蓄電回路ではコンデンサに蓄電しているため蓄電量に限りが有り、電気エネルギーを安定して出力できない懸念がある。
【００１４】
また、特許文献２に記載の蓄電回路では、コンデンサにより平滑化された電気エネルギーを直接二次電池に供給しているため、充電電圧が変動して二次電池の充電に適した電圧よりも上下してしまう。このため二次電池の充電を安定して行うことが困難であり、コンデンサと二次電池との間で充電ロスが生じ、蓄電効率が低下してしまう懸念がある。
【００１５】
本発明は、前述した問題点に鑑みてなされたもので、その目的は、環境発電素子から発生する微弱な交流電圧をより効率よく二次電池に蓄電し、かつ安定して出力することが可能な蓄電装置を提供することである。
【課題を解決するための手段】
【００１６】
前述した目的を達成するため、請求項１に記載の蓄電装置は、環境発電素子で発生した電力を蓄電する蓄電装置であって、前記環境発電素子から発生する交流電圧を整流回路により直流電圧に整流し、この整流した直流電圧の上限値を所定値以下に抑制する電圧リミッタを設けると共に、この電圧リミッタを介した直流電圧をコンデンサに蓄電する構成の整流蓄電回路部と、前記コンデンサの蓄電電圧を監視し、このコンデンサの蓄電電圧が上昇し、あらかじめ設定した電圧に達すると、二次電池用充電回路のスイッチをオンに制御して別に設けた二次電池へ電力を供給し、あらかじめ設定した電圧まで下降すると前記スイッチをオフに制御して二次電池への電力の供給を停止するスイッチング機構を設けた構成の蓄電電圧監視部と、から成ることを特徴とするものである。
【００１７】
また、請求項２に記載の蓄電回路は、請求項１に記載の前記環境発電素子で発生した電力を蓄電する蓄電装置において、前記環境発電素子から発生する交流電圧を整流回路により直流電圧に整流し、この整流した直流電圧の上限値を所定値以下に抑制する電圧リミッタと、この電圧リミッタを介した直流電圧を第１コンデンサに蓄電し、この第１コンデンサの蓄電電圧が上昇して低電圧ロックアウト解除電圧に達すると、ＤＣ−ＤＣ変換により前記第１コンデンサの電圧をあらかじめ設定した電圧まで降圧させる基準電圧設定部を介して第２コンデンサに蓄電する構成の環境発電用電源回路部と、前記第２コンデンサの蓄電電圧を監視し、この第２コンデンサの蓄電電圧が上昇し、あらかじめ設定した電圧に達すると二次電池用充電回路とのスイッチをオンに制御して二次電池用充電回路へ電力を供給し、前記第２コンデンサの蓄電電圧が下降し、あらかじめ設定した電圧まで下降すると、前記二次電池用充電回路とのスイッチをオフに制御するスイッチング機構を設けた構成の蓄電電圧監視部と、から成ることを特徴とするものである。
【００１８】
また、請求項３に記載の蓄電装置は、請求項１に記載の蓄電装置において、ｎ個の環境発電素子をｎ個の整流回路に接続し、共通のコンデンサに接続して成ることを特徴とするものである。
【００１９】
また、請求項４に記載の蓄電回路は、請求項２に記載の蓄電装置において、ｎ個の環境発電素子をｎ個の整流回路に接続し、共通の第１コンデンサに接続して成ることを特徴とするものである。
【発明の効果】
【００２０】
本発明は、蓄電装置において以上の構成を採用したことにより、環境発電素子から発生する微弱な交流電圧を、二次電池に蓄電する効率の向上を図ることが可能であると共に出力を安定させることができる。
【図面の簡単な説明】
【００２１】
【図１】本発明の第１の実施の形態に係る蓄電装置１の構成例を示す説明図である。
【図２】本発明の第２の実施の形態に係る蓄電装置２の構成例を示す説明図である。
【図３】本発明の第３の実施の形態に係る蓄電装置３の構成例を示す説明図である。
【図４】本発明の第４の実施の形態に係る蓄電装置４の構成例を示す説明図である。
【図５】圧電素子蓄電回路の構成例を示す説明図である。
【図６】電磁式振動発電蓄電回路の構成例を示す説明図である。
【発明を実施するための形態】
【実施例１】
【００２２】
図１は、本発明の第１の実施の形態である蓄電装置の構成例を示す説明図である。
【００２３】
図１に示すように、蓄電装置１は、環境発電素子２と、整流蓄電回路部３と、蓄電電圧監視部７と、二次電池充電回路１０と、二次電池１１から構成される。
【００２４】
前記環境発電素子２は、例えば、電磁式振動発電装置、静電式振動発電装置、圧電素子などからなり、発生した出力電圧を整流蓄電回路部３に供給する。
【００２５】
前記整流蓄電回路部３は、４個の整流用ダイオードがブリッジ接続された全波整流回路４と、全波整流回路４の出力端間に接続された電圧リミッタ１２と、電圧リミッタ１２に接続されたコンデンサ１３とで構成してある。電圧リミッタ１２の例としてツェナーダイオードが挙げられる。コンデンサ１３としては、セラミックコンデンサ、電解コンデンサ、電気二重層キャパシタ等を挙げることができるが、特に限定するものではない。また、整流蓄電回路部３は、両波倍電圧整流回路やＳＳＨＩ回路により構成してもよい。
【００２６】
前記蓄電電圧監視部７は、スイッチング素子１７としてｐチャネルＭＯＳＦＥＴと、第１ボルテージディテクタ８と、トランジスタと、第２ボルテージディテクタ９と、種々の抵抗器から構成される。蓄電電圧監視部７は前記コンデンサ１２の電圧値を監視し、二次電池用充電回路１０へコンデンサ１２に蓄電した電力を供給開始するＯＮ電圧および電力供給を停止するＯＦＦ電圧は、第１ボルテージディテクタ８および第２ボルテージディテクタ９のディテクション電圧により決定される。スイッチング素子１７はＭＯＳＦＥＴに限らず、ＭＥＳＦＥＴ、ＩＧＢＴ、バイポーラトランジスタ等を採用することができる。
【００２７】
前記蓄電電圧監視部７は、前記コンデンサ１３の電圧値を常時監視しており、二次電池用充電回路１０への電力供給を開始するときのコンデンサ１３からの入力電圧であるＯＮ電圧と二次電池用充電回路１０への電力供給を停止させるときのコンデンサ１３からの入力電圧であるＯＦＦ電圧とが異なるヒステリシス特性を有している。前記ＯＦＦ電圧は、あらかじめ設定されたＯＮ電圧に対し、５０％から９５％の範囲内の値に設定している。
【００２８】
前記二次電池用充電回路１０は、蓄電電圧監視部７を介して供給された電力を二次電池１１の充電に最適化された電圧、電流に変換し二次電池１１に電力を供給する機能を有している。
【００２９】
前記二次電池１１は、二次電池用充電回路１０を介して供給された電力を蓄電する機能を有し、例えば、鉛蓄電池、リチウムイオン二次電池、リチウムイオンポリマー二次電池、ニッケル水素蓄電池等を挙げることができるが、特に限定するものではない。
【００３０】
次に図１に示す第１の実施の形態の蓄電回路１の動作について説明する。
【００３１】
外部からの振動、圧力などの力が加わると交流電圧を発生する環境発電素子２から発生した交流電圧は、全波整流回路４によって全波整流される。整流された直流電圧は電圧リミッタ１２によりあらかじめ設定された所定値以下の電圧値に抑制されてコンデンサ１３に蓄電される。
【００３２】
前記コンデンサ１３の蓄電電圧は、蓄電電圧監視部７により常時監視され、コンデンサ１３の蓄電電圧が第１ボルテージディテクタ８のディテクション電圧（ＯＮ電圧）に達すると、スイッチング素子１７のゲート電圧がグランド電位に低下し、スイッチング素子１７がオフ状態からオン状態に変化し、コンデンサ１３から二次電池用充電回路１０への電力供給が開始する。電力供給開始後、コンデンサ１３の電圧は降下するが、電圧降下を第２ボルテージディテクタ９で監視し、コンデンサ１３の電圧が第２ボルテージディテクタ９のディテクション電圧（ＯＦＦ電圧）を下回ると、スイッチング素子１７のゲート電圧がハイレベルとなり、スイッチング素子１７がオン状態からオフ状態になり、コンデンサ１３から二次電池用充電回路１０への電力供給を停止させる。
【００３３】
電力を供給された二次電池用充電回路１０は、二次電池用充電回路１０に接続された二次電池１１を充電するために最適化された電圧、電流に電力を変換し、二次電池１１の充電を行う。
【００３４】
二次電池用充電回路１０に電力を供給している前記コンデンサ１３は電圧が降下する。二次電池用充電回路１０を安定動作させるために、蓄電電圧監視部７によりコンデンサ１３の蓄電電圧を監視し、ＯＮ電圧の５０％から９５％の範囲内の値に設定されたＯＦＦ電圧までコンデンサ１３の蓄電電圧が降下すると、コンデンサから二次電池用充電回路１０への電力供給を停止する。
【００３５】
その後、再び環境発電素子２から電力を供給されてコンデンサの蓄電電圧がＯＮ電圧に達すると、コンデンサ１３から二次電池用充電回路１０に電力供給が開始される。上記蓄電電圧監視部７によるスイッチング動作は二次電池１１の充電が完了するまで繰り返される。
【００３６】
以上のように、コンデンサ１３と二次電池用充電回路１０との間に蓄電電圧監視部７を設けることにより、二次電池充電回路１０は安定動作電圧内で常時動作することが可能となり、二次電池１１充電回路１０の動作が安定し、二次電池１１への充電回路の蓄電効率の向上を図ることが可能となる。
【実施例２】
【００３７】
図２は、本発明の第２の実施の形態である蓄電装置２の構成例を示す説明図である。
【００３８】
図２に示すように、蓄電装置２は環境発電素子２と、環境発電用電源回路部５と、蓄電電圧監視部７と、二次電池充電回路１０と、二次電池１１から構成される。
【００３９】
前記環境発電素子２は、例えば、電磁式振動発電装置、静電式振動発電装置、圧電素子などからなり、発生した出力電圧を環境発電用電源回路部５に供給する。
【００４０】
前記環境発電用電源回路部５は、全波整流回路４、電圧リミッタ１２、第１コンデンサ１４、基準電圧設定部６等を有する電源ＩＣ１６、および第２コンデンサ１５から構成される。
【００４１】
電源ＩＣ１６としてはナノパワー環境発電電源ＬＴＣ３５８８−１（リニアテクノロジー社製）、超低消費電力高圧電源ＭＢ３９Ｃ８１１（スパンション社製）等を挙げることができるが、特に限定するものではない。
【００４２】
第１コンデンサ１４および第２コンデンサ１５としては、セラミックコンデンサ、電解コンデンサ、電気二重層キャパシタ等を挙げることができるが、特に限定するものではない。
【００４３】
前記蓄電電圧監視部７は、スイッチング素子１７としてｐチャネルＭＯＳＦＥＴと、第１ボルテージディテクタ８と、トランジスタと、第２ボルテージディテクタ９と、種々の抵抗器から構成される。蓄電電圧監視部７は前記第２コンデンサ１５の電圧値を監視し、二次電池用充電回路１０に第２コンデンサ１５に蓄電した電力を供給開始するＯＮ電圧および電力供給を停止するＯＦＦ電圧は、第１ボルテージディテクタ８および第２ボルテージディテクタ９のディテクション電圧により決定される。スイッチング素子１７はＭＯＳＦＥＴに限らず、ＭＥＳＦＥＴ、ＩＧＢＴ、バイポーラトランジスタ等を採用することができる。
【００４４】
前記蓄電電圧監視部７は、前記第２コンデンサ１５の電圧値を常時監視しており、二次電池用充電回路１０への電力供給を開始するときの第２コンデンサ１５からの入力電圧であるＯＮ電圧と二次電池用充電回路１０への電力供給を停止させるときの第２コンデンサ１５からの入力電圧であるＯＦＦ電圧とが異なるヒステリシス特性を有している。前記ＯＦＦ電圧は、あらかじめ設定されたＯＮ電圧に対し、５０％から９５％の範囲内の値に設定している。
【００４５】
前記二次電池用充電回路１０は、蓄電電圧監視部７を介して供給された電力を二次電池１１の充電に最適化された電圧、電流に変換し二次電池１１に電力を供給する機能を有している。
【００４６】
前記二次電池１１は、二次電池用充電回路１０を介して供給された電力を蓄電する機能を有し、例えば、鉛蓄電池、リチウムイオン二次電池、リチウムイオンポリマー二次電池、ニッケル水素蓄電池等を挙げることができるが、特に限定するものではない。
【００４７】
次に図２に示す第２の実施の形態の蓄電回路２の動作について説明する。
【００４８】
外部からの振動、圧力などの力が加わると交流電圧を発生する環境発電素子２から発生した交流電圧は、電源ＩＣ１６が有する全波整流回路４によって整流され、あらかじめ設定された所定値以下に電圧を抑制する電圧リミッタ１２を介して、第１コンデンサ１４に蓄電される。
【００４９】
第１コンデンサ１４に蓄電された電力は、電源ＩＣ１６が有する基準電圧設定部を介して、あらかじめ設定された値の直流電圧として第２コンデンサ１５に蓄電される。
【００５０】
前記第２コンデンサ１５の蓄電電圧は蓄電電圧監視部７により常時監視され、第２コンデンサ１５の蓄電電圧が第１ボルテージディテクタ８のディテクション電圧（ＯＮ電圧）に達すると、スイッチング素子１７のゲート電圧がグランド電位に低下し、スイッチング素子１７がオフ状態からオン状態に変化し、第２コンデンサ１５から二次電池用充電回路１０への電力供給が開始する。電力供給開始後、第２コンデンサ１５の電圧は降下するが、電圧降下を第２ボルテージディテクタ９で監視し、第２コンデンサ１５の電圧が第２ボルテージディテクタ９のディテクション電圧（ＯＦＦ電圧）を下回ると、スイッチング素子１７のゲート電圧がハイレベルとなり、スイッチング素子１７がオン状態からオフ状態になり、第２コンデンサ１５から二次電池用充電回路１０への電力供給を停止させる。
【００５１】
電力を供給された二次電池用充電回路１０は、二次電池用充電回路１０に接続された二次電池１１を充電するために最適化された電圧、電流に電力を変換し、二次電池１１の充電を行う。
【００５２】
二次電池用充電回路１０に電力を供給している前記第２コンデンサ１５は、電圧が降下する。二次電池用充電回路１０を安定動作させるために、蓄電電圧監視部７により第２コンデンサ１５サの蓄電電圧を監視し、ＯＮ電圧の５０％から９５％の範囲内の値に設定されたＯＦＦ電圧までコンデンサの蓄電電圧が降下すると、第２コンデンサ１５から二次電池用充電回路１０への電力供給を停止する。
【００５３】
その後、再び環境発電素子２から電力を供給されて第２コンデンサ１５の蓄電電圧がＯＮ電圧に達すると、第２コンデンサ１５から二次電池用充電回路１０に電力供給が開始される。上記蓄電電圧監視部７によるスイッチング動作は二次電池１１の充電が完了するまで繰り返される。
【００５４】
以上のように、第２コンデンサ１５と二次電池用充電回路１０との間に蓄電電圧監視部７を設けることにより、二次電池１１充電回路１０の安定動作電圧内で常時動作することが可能となり、二次電池１１充電回路１０の動作が安定し、二次電池１１への充電回路の蓄電効率の向上を図ることが可能となる。
【実施例３】
【００５５】
次に図３に示す第３の実施の形態である蓄電回路３の動作について説明する。
【００５６】
図３に示すように、蓄電装置３は複数（ｎ個）の環境発電素子２と、環境発電素子２と同数（ｎ個）の整流回路を有する整流蓄電回路部３と、蓄電電圧監視部７と、二次電池１１充電回路１０と、二次電池１１から構成される。
【００５７】
前記環境発電素子２は、例えば、電磁式振動発電装置、静電式振動発電装置、圧電素子などからなり、発生した出力電圧を整流蓄電回路部３に供給する。
【００５８】
前記整流蓄電回路部３は、全波整流回路４により整流され、整流された直流電圧を電圧リミッタ１２を介してコンデンサ１３に並列で接続し、複数の環境発電素子２から発生する交流電圧を１か所に蓄電する。コンデンサは、セラミックコンデンサ、電解コンデンサ、電気二重層キャパシタ等を挙げることができるが、特に限定するものではない。
【００５９】
前記蓄電電圧監視部７、二次電池用充電回路１０、二次電池１１の構成は、前述の図１に示す回路と同様であり、重複する説明は省略する。
【００６０】
次に図３に示す第３の実施の形態の蓄電回路３の動作について説明する。
【００６１】
外部からの振動、圧力などの力が加わると交流電圧を発生する複数の環境発電素子２に接続された各々の整流回路によって整流される。各々の整流された電圧は電圧リミッタ１２によりあらかじめ設定された所定値以下の電圧に抑制されて１つのコンデンサ１３に蓄電される。
【００６２】
前記蓄電電圧監視部７、二次電池用充電回路１０、二次電池１１の動作は、前述の図１に示す回路と同様であり、重複する説明は省略する。
【００６３】
以上のように、複数の環境発電素子２から発生する交流電圧を、環境発電素子２と同数の整流回路で整流し、並列接続にて１つのコンデンサ１３に蓄電することにより、例えば複数の環境発電素子２から発生する交流電圧の位相がそろっていない場合、また複数の環境発電素子２から発生する電圧の大きさが異なる場合にも、コンデンサ１３から二次電池用充電回路１０への電源供給が滞ることなく、安定した動作させることが可能となり、回路の蓄電効率の向上を図ることが可能となる。
【実施例４】
【００６４】
図４は、本発明の第４の実施の形態である蓄電装置４の構成例を示す説明図である。
【００６５】
図４に示すように、蓄電装置４は複数（ｎ個）の環境発電素子２と、環境発電素子２と同数（ｎ個）の整流回路を有する環境発電用電源回路部５と、蓄電電圧監視部７と、二次電池１１充電回路１０と、二次電池１１から構成される。
【００６６】
環境発電素子２は、例えば、電磁式振動発電装置、静電式振動発電装置、圧電素子などからなり、発生した出力電圧を環境発電用電源回路部５に供給する。
【００６７】
環境発電用電源回路部５は、全波整流回路４、電圧リミッタ１２、第１コンデンサ１４、基準電圧設定部６等を有する電源ＩＣ１６、および第２コンデンサ１５から構成される。図４に記載の回路では、整流回路を環境発電素子２と同数（ｎ個）接続し、整流回路の出力を第１コンデンサ１４に並列に接続している。
【００６８】
電源ＩＣ１６としてはナノパワー環境発電電源ＬＴＣ３５８８−１（リニアテクノロジー社製）、超低消費電力高圧電源ＭＢ３９Ｃ８１１（スパンション社製）等を挙げることができるが、特に限定するものではない。
【００６９】
第１コンデンサ１４および第２コンデンサ１５としては、セラミックコンデンサ、電解コンデンサ、電気二重層キャパシタ等を挙げることができるが、特に限定するものではない。
【００７０】
蓄電電圧監視部７、二次電池用充電回路１０、二次電池１１の構成は、前述の図２に示す回路と同様であり、重複する説明は省略する。
【００７１】
次に図４に示す第４の実施の形態の蓄電回路４の動作について説明する。
【００７２】
外部からの振動、圧力などの力が加わると交流電圧を発生する複数（ｎ個）の環境発電素子２から発生した交流電圧は、各々の環境発電素子２に接続された各々の整流回路によって整流される。各々の整流された電圧は並列接続により第１コンデンサ１４に蓄電される。
【００７３】
第１コンデンサ１４に蓄電された電力は、電源ＩＣ１６が有する基準電圧設定部を介して、あらかじめ設定された値の直流電圧として第２コンデンサ１５に蓄電される。
【００７４】
蓄電電圧監視部７、二次電池用充電回路１０、二次電池１１の動作は、前述の図２に示す回路と同様であり、重複する説明は省略する。
【００７５】
以上のように、複数（ｎ個）の環境発電素子２から発生する交流電圧を、環境発電素子２と同数（ｎ個）の整流回路で整流し、並列接続にて共通の第１コンデンサ１４に蓄電することにより、例えば複数の環境発電素子２から発生する交流電圧の位相がそろっていない場合、また複数の環境発電素子２から発生する電圧の大きさが異なる場合にも、環境発電用電源回路部５から二次電池用充電回路１０への電源供給が滞ることなく、安定した動作させることが可能となり、回路の蓄電効率の向上を図ることが可能となる。
【００７６】
以上、本発明の実施の形態について説明したが、本発明の蓄電装置は、上述の図示例にのみ限定されるものではなく、本発明の要旨を逸脱しない範囲内において種々変更を加えることが可能である。
【符号の説明】
【００７７】
１  蓄電装置
２  環境発電素子
３  蓄電整流回路部
４  全波整流回路
５  環境発電用電源回路部
６  基準電圧設定部
７  蓄電電圧監視部
８  第１ボルテージディテクタ
９  第２ボルテージディテクタ
１０  二次電池充電回路
１１  二次電池
１２  電圧リミッタ
１３  コンデンサ  
１４  第１コンデンサ
１５  第２コンデンサ
１６  電源ＩＣ
１７  スイッチング素子
【図１】
2016127656.tif 000003
【図２】
2016127656.tif 000004
【図３】
2016127656.tif 000005
【図４】
2016127656.tif 000006
【図５】
2016127656.tif 000007
【図６】
2016127656.tif 000008